(57)【要約】【課題】フィルターに直接衝撃を与えることなく、除塵できる電気掃除機を提供する。【解決手段】電動送風機２と弾きローラー３３を内蔵する掃除機本体１と、フィルターユニット４１とを備え、前記フィルターユニット４１は、塵埃を捕集する二次フィルター５５を取着した枠体５４と、前記二次フィルター５５の下流側に位置すると共に一端が前記枠体５４に固定された除塵板５７を有し、前記弾きローラー３３を回転させて前記除塵板５７の突片５７ａを空気の流れと同方向に弾き、その反発力で前記枠体５４に衝撃を与えるようにしたもので、除塵板５７によって枠体５４に塵埃が堆積する方向に加わる衝撃で二次フィルター５５に付着した塵埃がふるい落とされ二次フィルター５５の濾過能力が復活すると共に、二次フィルター５５に除塵板５７が直接衝撃を与えないので二次フィルター５５が破損する事が無く、寿命も長い。【選択図】図１１
2006061537.tif 000002
【特許請求の範囲】
【請求項１】
電動送風機と除塵駆動体を内蔵する掃除機本体と、フィルターユニットとを備え、前記フィルターユニットは、塵埃を捕集するフィルターを取着した枠体と、前記フィルターの下流側に位置すると共に一端が前記枠体に固定された除塵板を有し、前記除塵駆動体を動作させて前記除塵板の他端を空気の流れと同方向に弾き、その反発力で前記枠体に衝撃を与えるようにした電気掃除機。
【請求項２】
電源コードを巻回したコードリールを設け、前記電源コードの引き出し又は／および収納動作に連動して除塵駆動体を動作させるようにした請求項１に記載の電気掃除機。
【請求項３】
除塵駆動体を回転駆動するモータを設けた請求項１に記載の電気掃除機。
【請求項４】
除塵板の上端を枠体の上端に固定した請求項１〜３のいずれか１項に記載の電気掃除機。
【請求項５】
フィルターをプリーツ折りし、かつそのプリーツ目を縦方向にした請求項１〜４のいずれか１項に記載の電気掃除機。
【請求項６】
フィルターの上流側の面を僅かに下を向くように傾斜させた請求項１〜５のいずれか１項に記載の電気掃除機。
【請求項７】
枠体を樹脂で成型し、前記枠体にフィルターのプリーツ部を連結するリブを一体に設け、このリブを除塵板で弾くようにした請求項１〜６のいずれか１項に記載の電気掃除機。
【請求項８】
リブと除塵板のどちらか一方または両方に吸音材を設け、前記吸音材を設けた部分を当てるようにした請求項７に記載の電気掃除機。
【請求項９】
リブと除塵板の当接部のどちらか一方または両方に凹凸をつけ、部分的に当接させるようにした請求項７又は８に記載の電気掃除機。
【請求項１０】
リブと除塵板の当接部をフィルターへの塵埃付着量の多い領域に設けるようにした請求９に記載の電気掃除機。
【請求項１１】
除塵板の両サイドに、前記除塵板の撓みを規制するストッパー部を設けた請求項１〜９のいずれか１項に記載の電気掃除機。
【請求項１２】
除塵板を途中から左右に少なくとも２分割し、夫々の端部を除塵駆動体で弾くようにした請求項１〜１０のいずれか１項に記載の電気掃除機。
【請求項１３】
除塵板により枠体を介してフィルターに加えられる衝撃力を１５０Ｇ以上になるようにした請求項１〜１１のいずれか１項に記載の電気掃除機。
【請求項１４】
除塵駆動体を、除塵板の端部を弾く弾き片と、前記弾き片を挟むように両側に設けたフランジで形成し、前記除塵板の端部が前記両フランジ間に入り込むようにした請求項１〜１２のいずれか１項に記載の電気掃除機。
【請求項１５】
除塵駆動体の周囲を覆うカバーを着脱自在に設けた請求項１〜１３のいずれか１項に記載の電気掃除機。
【発明の詳細な説明】
【技術分野】
【０００１】
本発明は、電気掃除機に関するもので、特に、除塵機能を有する電気掃除機に関するものである。
【背景技術】
【０００２】
従来のこの種の電気掃除機として、塵埃分離部と、塵埃分離部を通過した空気に含まれる細塵を捕捉するプリーツ状のフィルターと、電源コードの巻き取り動作に連動して回転するギアと、前記ギアに設けられた突起とを備え、電源コードの巻き取り時に、前記ギアが回転し、突起がフィルターのプリーツを乗り越えながら、フィルターの後面を回転移動する事により、フィルターに振動を与え、フィルターに付着した塵埃を落下させるようにしたものがある（例えば、特許文献１参照）。
【特許文献１】特許第３４９００８１号公報
【発明の開示】
【発明が解決しようとする課題】
【０００３】
しかしながら、上記従来の電気掃除機の構成では、塵埃がフィルターの表面に、空気の流れ方向と逆方向に堆積していくにもかかわらず、プリーツに直交する方向から、即ち、空気の流れに直交する方向からフィルターに振動を与える為除塵効率が悪く、また、フィルターに突起で直接加振するので頑丈に作る必要があり，高価になるという課題があった。
【０００４】
本発明は、前記従来の課題を解決するもので、除塵効率の優れた電気掃除機を提供する事を目的とする。
【課題を解決するための手段】
【０００５】
前記従来の課題を解決するために、本発明の電気掃除機は、電動送風機と除塵駆動体を内蔵する掃除機本体と、フィルターユニットとを備え、前記フィルターユニットは、塵埃を捕集するフィルターを取着した枠体と、前記フィルターの下流側に位置すると共に一端が前記枠体に固定された除塵板を有し、前記除塵駆動体を動作させて前記除塵板の他端を空気の流れと同方向に弾き、その反発力で前記枠体に衝撃を与えるようにしたもので、除塵板によって枠体に空気の流れと逆方法、即ち塵埃の堆積方向に、かつ、瞬間的な衝撃でフィルターに付着した塵埃が効果的にふるい落とされフィルターの濾過能力が復活すると共に、フィルターに除塵板が直接衝撃を与えないのでフィルターが破損する事が無い。
【発明の効果】
【０００６】
本発明の電気掃除機は、除塵板によって枠体に空気の流れと逆方法、即ち塵埃の堆積方向に加わる瞬間的な衝撃でフィルターに付着した塵埃が効果的にふるい落とされフィルターの濾過能力が復活すると共に、フィルターに除塵板が直接衝撃を与えないのでフィルターが破損する事が無い。
【発明を実施するための最良の形態】
【０００７】
第１の発明は、電動送風機と除塵駆動体を内蔵する掃除機本体と、フィルターユニットとを備え、前記フィルターユニットは、塵埃を捕集するフィルターを取着した枠体と、前記フィルターの下流側に位置すると共に一端が前記枠体に固定された除塵板を有し、前記除塵駆動体を動作させて前記除塵板の他端を空気の流れと同方向に弾き、その反発力で前記枠体に衝撃を与えるようにしたもので、除塵板によって枠体に空気の流れと逆方法、即ち塵埃の堆積方向に加わる衝撃でフィルターに付着した塵埃が効果的にふるい落とされフィルターの濾過能力が復活すると共に、フィルターに除塵板が直接衝撃を与えないのでフィルターが破損する事が無い。
【０００８】
第２の発明は、特に、第１の発明の電気掃除機に電源コードを巻回したコードリールを設け、前記電源コードの引き出し又は／および収納動作に連動して除塵駆動体を動作させるようにしたもので、除塵駆動体を動作させるための特別な駆動源を必要としないので、除塵機構を安価に形成する事ができる。
【０００９】
第３の発明は、特に、第１の発明の除塵駆動体を回転駆動するモータを設けたもので、除塵構成が簡素化され、しかも除塵効果を安定させることができる。
【００１０】
第４の発明は、特に、第１〜３のいずれか１つの発明の除塵板の上端を枠体の上端に固定したもので、掃除機本体側の構成が簡素化され、除塵効果が安定する。
【００１１】
第５の発明は、特に、第１〜４のいずれか１つの発明のフィルターをプリーツ折りし、かつそのプリーツ目を縦方向にしたもので、叩き出した塵埃を効率良く下方に落とすことができると共に、塵埃のフィルターへの再付着を防止する。
【００１２】
第６の発明は、特に、第１〜５のいずれか１つの発明のフィルターの上流側の面を僅かに下を向くように傾斜させたもので、叩き出した塵埃が効率良く下方に落とされ、フィルターに、叩き出された塵埃が再付着する事が無い。
【００１３】
第７の発明は、特に、第１〜６のいずれか１つの発明の枠体を樹脂で成型し、前記枠体にフィルターのプリーツ部を連結するリブを一体に設け、このリブを除塵板で弾くようにしたもので、リブを介して衝撃をフィルター全域に渡って伝える事ができ、塵埃の叩き出し効果が向上する。
【００１４】
第８の発明は、特に、第７の発明のリブと除塵板のどちらか一方または両方に吸音材を設け、前記吸音材を設けた部分を当てるようにしたもので、除塵の際の音を低減することができる。
【００１５】
第９の発明は、特に、第７又は第８の発明のリブと除塵板の当接部のどちらか一方または両方に凹凸をつけ、部分的に当接させるようにしたもので、フィルターへ与える衝撃力を分散させることができるとともに、除塵時の音質を変化あるいは低減することができる。
【００１６】
第１０の発明は、特に、第９の発明の凹凸をフィルターへの塵埃付着量の多い領域に設けるようにしたもので、塵埃付着量の多い領域に強い衝撃を与えることで効率良く除塵を行うことができる。
【００１７】
第１１の発明は、特に、第１〜９のいずれか１つの発明の除塵板の両サイドに、前記除塵板の撓みを規制するストッパー部を設けたもので、組み立て時などに除塵板が何かに当たり変形することを防止することができる。
【００１８】
第１２の発明は、特に、第１〜１０のいずれか１つの発明の除塵板を途中から左右に少なくとも２分割し、夫々の端部を除塵駆動体で弾くようにしたもので、夫々の端部をタイミングをずらして除塵駆動体で弾くようにすれば、電源コードを引き出す時の引き出し力あるいは、除塵駆動体を回転駆動するモータのトルクを半減できる。
【００１９】
第１３の発明は、特に、第１〜１１のいずれか１つの発明の除塵板により枠体を介してフィルターに加えられる衝撃力を１５０Ｇ（重力加速度）以上になるようにしたもので、風量を初期の８０％程度まで回復できるものである。
【００２０】
第１４の発明は、特に、第１〜１２のいずれか１つの発明の除塵駆動体を、除塵板の端部を弾く弾き片と、前記弾き片を挟むように両側に設けたフランジで形成し、前記除塵板の端部が前記両フランジ間に入り込むようにしたもので、除塵の際に除塵体が除塵駆動体はら外れることを防止できるとともに、除塵駆動体に塵埃等がひっかかりにくくなる。
【００２１】
第１５の発明は、特に、第１〜１３のいずれか１つの発明の除塵駆動体の周囲を覆うカバーを着脱自在に設けたもので、除塵駆動体部に塵埃や異物が侵入したり、絡みついたときに容易に取り除くことができる。
【００２２】
以下、本発明の実施の形態について、図面を参照しながら説明する。なお、この実施の形態によって本発明が限定されるものではない。
【００２３】
（実施の形態１）
本発明の第１の実施の形態における電気掃除機について、図１〜１２を用いて説明する。
【００２４】
図１は、本実施の形態における電気掃除機の全体斜視図、図２は、同電気掃除機の上面図、図３は、同電気掃除機の断面図である。
【００２５】
図１において、１は掃除機本体で、後部に電動送風機２を内蔵した電動送風機室３が配され、前部に、着脱自在で塵埃を分離捕集するダストボックスユニット４を収納するダストボックス収納部５が配され、後方下部の両側に１対の走行用の車輪６が回転自在に取着され、底面前部には、同じく走行用のキャスター７が取着されている。掃除機本体１の前部には、ホース８の一端に設けた接続パイプ９が着脱自在に接続される吸入口１０が設けられている。
【００２６】
ホース８の他端には、掃除の際に握る把手を備えた先端パイプ１２が設けられている。１３は、伸縮自在或いは継ぎ自在の延長管で、下流側端部が前記先端パイプ１２に着脱自在に接続され、他端は、塵埃掻き揚げ用の回転ブラシ１４と、その回転ブラシ１４を回転駆動するモータ１５を内蔵した吸い込み具１６に着脱自在に接続される。
【００２７】
１７は、掃除機本体１の側面に設けられた開口部で、ダストボックス収納部５に装着されたダストボックスユニット４の透明材料で形成された外郭側面が外から見えるようになっている。
【００２８】
１８は、弾性材料から形成され掃除機本体１の前部から両側にかけて延設されたバンパーで、掃除機本体１の走行時に家具、柱などに衝突してもそれらに傷をつけないようにするためのもので、また、掃除機本体１に設けた開口部１７と対向する部分が図に示されるように、くりぬかれている。
【００２９】
１９は、掃除機本体１を持ち運ぶ際に立てて使用する本体ハンドルで、掃除機本体１の重心を通る垂直線上に回動中心が位置するように掃除機本体１の上部に回動自在に取り付けられている。
【００３０】
２０は、ダストボックスユニット４の持ち運び用のボックスハンドルで、上端がダストボックスユニット４に回動自在に軸支され、その前端は、通常図１に示すようにダストボックスユニット４に収納されているが、ダストボックスユニット４を持ち運ぶ時や、掃除機本体１のダストボックス収納部５から取り外す時に、前部を持ち上げると、前端が上方に飛び出し、ボックスハンドル２０が握れるようになる。
【００３１】
２１は、ダストボックスユニット４を掃除機本体１のダストボック収納部５に収納した時にダストボックスユニット４の前端を保持する尾錠で、尾錠バネ２１ａで後方側に付勢されている。
【００３２】
図３において、掃除機本体１の外郭は、その下部を形成すると共に後方にコードリール２２を収納するコードリール収納部２３を形成した下ボディ１ａと、後部に電動送風機室３を形成した上ボディー１ｂからなり、電動送風機室３の底部は下ボディ１ａで覆われる。２４は、下ボディ１ａに形成されたコードリール収納部２３を覆うコードリール蓋で、そのコードリール蓋２４及び下ボディ１ａの夫々に設けた軸支部２５でコードリール２２が回動自在に軸支されている。
【００３３】
コードリール２２は、電源コード３２を巻き付けると共に上下にフランジ部２２ａを有するドラム部２２ｂと、前記ドラム部２２ｂを電源コード３２を巻き付ける方向に付勢するバネ材２２ｃから構成されている。
【００３４】
２６は、コードリール２２に内蔵されたバネ材２２ｃの付勢力に抗して外部に引き出された電源コード３２を、コードリール２２内に巻き戻す際に操作する巻き戻し釦で、その巻き戻し釦２６を下方に押すことにより、ブレーキローラー（図示せず）によるコードリール２２の回動阻止が解除され、コードリール２２がバネ材２２ｃの付勢力で電源コード３２を巻き上げるようになっている。
【００３５】
電動送風機２の前部は、弾性材料からなるサポート前２７で、後部は、同じく弾性材料からなるサポート後２８で、電動送風機室３内に支持されている。２９は、電動送風機室３とダストボックス収納部５とを仕切る隔壁で、略中央に電動送風機２の吸入開口２ａと連通する格子状の隔壁開口部３０が設けられ、その隔壁開口部３０は、ダストボックス収納部５側から三次フィルター３１で覆われている。
【００３６】
図４は、掃除機本体１からダストボックスユニット４を取り外した時の斜視図であり、吸入口１０の後方にパッキン３７が設けられ、ダストボックス収納部５の後方下部には、電源コード３２の引き出し操作に連動して回転して後述の除塵板５７を弾く弾きローラー３３（除塵駆動体としての回転体）が設けられている。３９は、弾きローラー３３の周囲を覆うカバーで、弾きローラー３３に髪の毛等が巻きついたときに、カバー３９を外せば、容易に取り除くことができる。
【００３７】
図５は、電源コード３２の引き出し操作から弾きローラー３３までの回転力の伝達構成を示すもので、コードリール１１の一方のフランジ２２ａの外周面に歯２２ｄが円環状に配され、弾きローラー３３を固定したシャフトＡ３４の端部にギヤーＡ３５が設けれ、歯２２ｄとギヤーＡ３５間に複数のギヤー群３６が介在され、電源コード３２の引き出し動作に応じてコードリール１１のフランジ２２ａが回転すると、その回転力が、歯２２ｄ、ギヤー群３６、ギヤーＡ３５、シャフトＡ３４の順に伝達され、弾きローラー３３が回転するようになっている。
【００３８】
弾きローラー３３は、弾き片３３ａと、それを挟み込むように形成されたフランジ３３ｂで形成されている。
【００３９】
次に、ダストボックスユニット４の構成について図６〜１２を用いて説明する。
【００４０】
図において、ダストボックスユニット４は、ダストボックス本体４０と、ダストボックス本体４０の後方開口部に着脱自在に装着されるフィルターユニット４１から構成されている。
【００４１】
最初に、吸い込み具１６から空気と共に吸引された塵埃の捕集構成について述べる。ダストボックス本体４０の前部に、ダストボックスユニット４を掃除機本体１のダストボックス収納部５に装着した時に、掃除機本体１の吸入口１０の後方に設けたパッキン３７に気密に圧接し連通する吸入口Ａ４２と、尾錠２１が係合する尾錠凹部５２が設けられている。
【００４２】
ダストボックス本体４０は、さらに、吸入口Ａ４２に直接連通すると共に粗塵を収納する粗塵室４３と、連通口Ａ４４を介して粗塵室４３と連通すると共に吸引風に含まれた細塵を遠心分離する遠心分離室４５と、遠心分離室４５の周壁の一部に設けた連通口Ｂ４６から落下する細塵を捕集する細塵室４７と、前記粗塵室４３と細塵室４７の夫々の開口部４３ｂ、４７ｂを覆うと共に後方端部がダストボックス本体４０に回動自在に軸支された蓋体４８を備えている。蓋体４８は、コイルバネ４９により開成方向に付勢されており、通常は、ダストボックス本体４０に設けた係止片５０で、その前部が閉じた状態に保持されており、ボックスハンドル２０の前部に設けた解除釦５１を押すと、それに連結された連結機構（図示せず）を介して係止片５０が外方に移動し、蓋体４８がコイルバネ４９の付勢力で開くようになっている。
【００４３】
図６（ｃ）に示すように、遠心分離室４５の前部断面形状は、天面が平坦なＤカット状に形成されている。これは、掃除機本体１の外郭の一部を成すダストボックスユニット４の前部の表面を低く見せ、デザイン状のバリエーションを広げるためである。さらに連通口Ｂ４６の細塵室４７側には、筒状のリブ４５ｃが延設され、細塵室４７に流入した細塵が遠心分離室４５に逆流させないためのものである。
【００４４】
また、ダストボックス本体４０の粗塵室４３と細塵室４７を形成している外郭部分は、半透明材料で形成され、外部から堆積した塵埃の量がわかるようになっている。
【００４５】
ダストボックス本体４０の後側には、ダストボックスユニット４や、その構成部品に付着した塵埃を清掃する為のクリーニングブラシ５３を収納するブラシ収納部４０ａが設けられている。
【００４６】
フィルターユニット４１は、枠体５４と、プリーツ折りされそのプリーツ目を縦方向にして枠体５４に設けられた二次フィルター５５と、枠体５４の内側に橋渡し状に形成され、二次フィルター５５をその折り目方向に直交する方向で保持するリブ体５６と、鋼鈑など弾性に富んだ金属材からなり、下部がそれ自信の弾性力で枠体５４側に押しつけられるように上部が枠体５４の上部に取り付けられた除塵板５７とを備えている。フィルターユニット４１の枠体５４の下流側端部には全周に渡ってリップ５８が、一体又は一体的に形成され、ダストボックスユニット４を、ダストボックス収納部５に装着した時に、そのリップ５８が、掃除機本体１の隔壁２９のダストボックス収納部５側の面に圧接され、電動送風機２の運転時に外気が吸引されないようになっている。
【００４７】
フィルターユニット４１の前面５９は、二次フィルター５５の上流側を覆うと共に、フィルターユニット４１をダストボックス本体４０に装着した時に、粗塵室４３、遠心分離室４５、細塵室４７の夫々の後方開口部４３ａ、４５ａ、４７ａを気密に覆うようになっている。さらにフィルターユニット４１の前面５９の、前記後方開口部４３ａ、４５ａ、４７ａの夫々に対応する位置に、開口Ａ６０、開口Ｂ６１、開口Ｃ６２が設けられ、かつ、各開口Ａ６０、開口Ｂ６１、開口Ｃ６２には一次フィルター６０ａ、６１ａ、６２ａが設けられて、フィルターユニット４１内に粗塵や、細塵が浸入するのを防止している。
【００４８】
除塵板５７の下端には、突片５７ａが延設され、図１１、図１２の要部断面図に示すように、ダストボックスユニット４をダストボックス収納部５に装着した時に、掃除機本体１に設けた弾きローラー３３に近接するように配されており、この状態で電源コード３２を引き出すと、その引き出し動作に連動して弾きローラー３３が回転し、山状に形成された弾き片３３ａが、除塵板５７の弾性力に抗して除塵板５７の突片５７ａを、空気の流れ方向に、すなわち後方に移動させ、その突片５７ａが弾き片３３ａを乗り越えると（図１２参照）、除塵板５７の弾性力で元の左方向に一気に戻ろうとする。この時、除塵板５７の一部がリブ体５６の先端に当たってリブ体５６に強い衝撃が加わり、これにより二次フィルター５５に強い振動が加わり、二次フィルター５５に付着していた細塵が振り落とされ、二次フィルター５５の濾過性能が復活する。
【００４９】
上記構成による動作、作用は以下の通りである。
【００５０】
電気掃除機の使用開始に当たり、掃除機本体１より電源コード３２を引き出すと、その引き出し動作に連動して、コードリール２２のフランジ２２ａが回転し、その回転力が、ギヤー群３６、ギヤーＡ３５と伝達され、弾きローラー３３が回転する。弾きローラー３３が回転すると、その弾き片３３ａが除塵板５７に設けた突片５７ａを弾き、フィルターユニット４１のリブ体５６に強い衝撃が加わり、前回までの掃除の際に二次フィルター５５に付着した細塵がふるい落とされ、二次フィルター５５の濾過能力が回復する。
【００５１】
次に、電源コード３２を図示しない壁のコンセントにさし込んで、電気掃除機の運転を開始すると、電動送風機２による吸引力が、開口Ａ６０、開口Ｂ６１、開口Ｃ６２、一次フィルター６０ａ、６１ａ、６２ａを経て、粗塵室４３、遠心分離室４５、細塵室４７に及び、ホース８、延長管１３を経て吸い込み具１６に至る。そして、吸い込み具１６から吸引された塵埃を含んだ空気が、掃除機本体１の吸入口１０を通って、ダストボックス本体４０の吸入口４２から真っ直ぐ粗塵室４３に入り、一次フィルター６０ａに当たりそこで捕集され、堆積していく。
【００５２】
電動送風機２による吸引力は、遠心分離室４５にも作用しているので、粗塵室４３で、粗塵が除去された空気の一部は、吸入口Ａ４２側に位置する連通口４４を通って、遠心分離室４５に流入する。ここで、空気は、一次フィルター６１ａの表面に沿ってかつその接線方向から遠心分離室４５に流入するので、塵埃の遠心分離が効果的に行なわれると共に、一次フィルター６１ａに塵埃が付着し難くなり、塵埃による目詰まりが起き難いので、一次フィルター６１ａでの空気圧損の低下を抑制する事ができる。
【００５３】
遠心分離室４５で遠心分離された細塵は、遠心分離室４５の周壁の一部に設けた連通口４６から細塵室４７に落下する。一方、一次フィルター６０ａ、６１ａ、６２ａを通過した細塵を含む空気は、プリーツ状の二次フィルター５５に流れそこで、細塵が捕捉される。捕捉された細塵は、上記したように、次回電気掃除機を使用する為に、電源コード３２を引き出した時に、除塵板５７により振るい落とされる。
【００５４】
上記構成によれば、粗塵が粗塵室４３で予め捕集されるので、遠心分離室４５での塵埃の遠心分離のための負担が軽減され、しかもそこで分離された細塵が細塵室４７で捕集されるので、遠心分離室４５に細塵が残るのが抑制され、高い遠心分離性能を長期にわたって維持することができる。
【００５５】
また、細塵室４７における吸気圧損を、遠心分離室４５及び粗塵室４３における吸気圧損より大きくなるように設定しておけば、遠心分離室４５に細塵が残るのが抑制され、高い遠心分離性能を長期にわたって維持できる。
【００５６】
さらに、遠心分離室４５の吸気風量を、少なくとも１．３立方ｍ／分以上になるように一次フィルター６０ａ、６１ａ、６２ａの夫々のフィルターの目の大きさや、材料、開口Ａ、Ｂ、Ｃ６０、６１、６２の面積を設定しておけば、電動送風機２を冷却するための空気量が十分確保され、電動送風機２の寿命が長くなり、かつ電動送風機２の異常発熱、焼損を防止することができる。
【００５７】
また、図１０に示すように、一次フィルター６０ａ、６１ａ、６２ａが同一面上に設けられているので、それらを清掃するのが非常に簡単で、しかも清掃漏れもなく、非常に使用勝手が良いものである。なお、上記実施の形態では、一次フィルター６０ａ、６１ａ、６２ａが面一に設けられているが、多少の段差、具体的には６ｍｍ位までの段差が、一次フィルター６０ａ、６１ａ、６２ａ間で、或いはそれらと前面５９の表面との間にあっても、清掃がやり易いことにはかわりはない。
【００５８】
また、弾きローラー３３を回転させて除塵板５７の突片５７ａを弾き、その反発力で前記枠体５４に衝撃を与えるようにしたので、除塵板５７によって枠体５４に空気の流れと逆方法、即ち塵埃の堆積方向に加わる衝撃で二次フィルター５５の上流側の面に付着した塵埃がふるい落とされ二次フィルター５５の濾過能力が復活すると共に、二次フィルター５５に除塵板５７が直接衝撃を与えないので二次フィルター５５の寿命が長い。
【００５９】
また、電源コード３２の引き出し動作に連動して弾きローラー３３を回転させるようにしたので、弾きローラー３３を回転させるための特別な駆動源を必要とせず、除塵機構を安価に形成する事ができる。なお、電源コード３２の収納動作に連動して、あるいは、電源コード３２の引き出し動作及び収納動作の両動作に連動して弾きローラー３３を回転させるようにすれば、弾きローラー３３の回転する機会が増え、除塵効果が向上する。
【００６０】
また、弾きローラー３３を、図示しないが、別途設けたモータで回転駆動するようにすれば、除塵構成が簡素化され、しかも除塵効果を安定させることができる。
【００６１】
さらに、除塵板５７の上端を枠体５４の上端に固定しているので、掃除機本体１側の構成が簡素化され、除塵効果が安定する。
【００６２】
また、二次フィルター５５をプリーツ折りし、かつそのプリーツ目を縦方向にしたので、叩き出した塵埃を効率良く下方に落とすことができると共に、塵埃の二次フィルター５５への再付着を防止することができる。
【００６３】
また、二次フィルター５５の上流側の面を僅かに下を向くように傾斜させるようにすれば、叩き出した塵埃が効率良く下方に落とされ、二次フィルター５５に、叩き出された塵埃が再付着する事が無い。
【００６４】
また、枠体５４を樹脂で成型し、前記枠体５４に二次フィルター５５のプリーツ部を連結するリブ体５６を一体に設け、このリブ体５６を除塵板５７で弾くようにしたので、リブ体５６を介して衝撃を二次フィルター５５全域に渡って伝える事ができ、塵埃の叩き出し効果が向上する。
【００６５】
また、図８に示すように、除塵板５７を途中から左右に２分割し、夫々の突片５７ａを弾きローラー３３でタイミングをずらして弾くようにすれば、電源コード３２を引き出す時の引き出し力あるいは、弾きローラー３３を回転駆動するモータのトルクを半減できる。
【００６６】
なお、除塵板５７の途中からの分割は、２分割に限らず３分割、４分割でも構わない。
【００６７】
また、除塵板５７により枠体５４を介して二次フィルター５５に加えられる衝撃力を１５０Ｇ（重力加速度）以上にすれば、風量を初期の８０％程度まで回復できるものである。
【００６８】
また、弾きローラー３３を、除塵板５７の突片５７ａを弾く弾き片３３ａと、前記弾き片３３ａを挟むように両側に設けたフランジ３３ｂで形成し、突片５７ａが両フランジ３３ｂ間に入り込むようにしたので、除塵の際に除塵体が弾き片３３ａから外れることを防止できるとともに、弾きローラー３３に塵埃等がひっかかりにくくなる。
【００６９】
（実施の形態２）
図１３（ａ）は、本発明の第２の実施の形態における電気掃除機の要部断面図である。
【００７０】
本実施の形態は、除塵板５７が当接するリブ体５６の端部に吸音材８５を設けたもので、
それにより、除塵の際の音を低減することができる。なお、図１３（ｂ）に示すように、吸音材８５を、リブ体５６側に設ける代わりに、除塵板５７側に吸音材８５を設けても同様の効果が得られることは言うまでもない。
【００７１】
（実施の形態３）
図１４（ａ）は、本発明の第３の実施の形態における電気掃除機の要部断面図である。本実施の形態は、リブ体５６の端部に凹凸５６ａを設け、部分的に除塵板５７を当接させるようにしたもので、フィルターへ与える衝撃力を分散させることができるとともに、除塵時の音質を変化あるいは低減することができる。
【００７２】
また、リブ体５６の凹凸５６ａ（当接部）を二次フィルター５５で塵埃付着の多い付近に設けることにより、塵埃付着量の多い領域に強い衝撃を与えることができ、効率良く除塵を行うことができる。なお、図１４（ｂ）に示すように、リブ体５６の端部に凹凸５６ａを設ける代わりに、除塵板５７側に凹凸５７ｂを設けても、同様の効果が得られることは言うまでもない。
【００７３】
（実施の形態４）
図１５は、本発明の第４の実施の形態における電気掃除機の要部斜視図である。
【００７４】
本実施の形態は、除塵板５７の両サイドに、ストッパー部５７ｃを設け、枠体５４の内壁に、ストッパー部５７ｃが臨む凹部５４ａを設けて、除塵板５７が必要以上に撓む事の無いようにしたもので、組み立て時などに除塵板５７が何かに当たり変形することを防止することができる。
【産業上の利用可能性】
【００７５】
以上のように、本発明にかかる電気掃除機は、フィルターの除塵性能に優れ、しかもフィルターに除塵板が直接衝撃を与えないのでフィルターが破損する事が無いもので、塵埃を捕集するフィルターを有する各種家庭用、業務用電気掃除機、空気清浄機等に広く適用できる。
【図面の簡単な説明】
【００７６】
【図１】本発明の実施の形態１における電気掃除機の全体斜視図
【図２】同電気掃除機の上面図
【図３】同電気掃除機の断面図
【図４】同電気掃除機の掃除機本体の斜視図
【図５】同電気掃除機内部の動力伝達構成を示す図
【図６】（ａ）同電気掃除機のダストボックスユニットの側面図（ｂ）同ダストボックスユニットの平面図（ｃ）図６（ｂ）のＡ−Ａ断面図（ｄ）図６（ｂ）のＢ−Ｂ断面図
【図７】同ダストボックスユニットの正面図
【図８】同ダストボックスユニットの背面図
【図９】同ダストボックスユニットのダストボックス本体の斜視図
【図１０】同ダストボックスユニットのフィルターユニットの斜視図
【図１１】同ダストボックスユニットの要部断面図
【図１２】同ダストボックスユニットの要部断面図
【図１３】（ａ）本発明の第２の実施の形態における電気掃除機の要部断面図（ｂ）他の例を示す電気掃除機の要部断面図
【図１４】（ａ）本発明の第３の実施の形態における電気掃除機の要部断面図（ｂ）他の例を示す電気掃除機の要部断面図
【図１５】本発明の第４の実施の形態における電気掃除機の要部斜視図
【符号の説明】
【００７７】
１  掃除機本体
２  電動送風機
３３  弾きローラー（除塵駆動体）
４１  フィルターユニット
５４  枠体
５５  二次フィルター（フィルター）
５７  除塵板
５７ａ  突片（他端）
【図１】
2006061537.tif 000003
【図２】
2006061537.tif 000004
【図３】
2006061537.tif 000005
【図４】
2006061537.tif 000006
【図５】
2006061537.tif 000007
【図６】
2006061537.tif 000008
【図７】
2006061537.tif 000009
【図８】
2006061537.tif 000010
【図９】
2006061537.tif 000011
【図１０】
2006061537.tif 000012
【図１１】
2006061537.tif 000013
【図１２】
2006061537.tif 000014
【図１３】
2006061537.tif 000015
【図１４】
2006061537.tif 000016
【図１５】
2006061537.tif 000017